(57)【要約】【課題】  カードの残高の端数を精算するにあたって、コスト上昇を抑えつつ、精算機への硬貨の補充などの手間を省いて効率的に精算処理を行うことができる仕組みを提供する。【解決手段】  カード７の残高を精算するための精算機４であって、精算機４により現金の払出し精算を行うか否かの基準となる基準金額の情報を記憶する記憶部と、上記カードの残高を取得する取得手段と、取得したカードの残高のうち、上記基準金額に満たない端数金額を抽出する抽出手段と、上記抽出された端数金額分の換金用レシートを発行する発行手段とを有することを特徴とする。【選択図】図１
2006004185.tif 000002
【特許請求の範囲】
【請求項１】
カードの残高を精算するための精算機であって、
精算機により現金の払出し精算を行うか否かの基準となる基準金額の情報を記憶する記憶手段と、
上記カードの残高を取得する取得手段と、
上記取得したカードの残高のうち、上記基準金額に満たない端数金額を抽出する抽出手段と、
上記抽出された端数金額分の換金用レシートを発行する発行手段と、
を有することを特徴とする精算機。
【請求項２】
カードの残高を精算するための精算機であって、
上記カードの残高を取得する取得手段と、
精算機にストックされている精算用の現金が精算可能な金額かを検知する検知手段と、
上記取得したカード残高と、上記検知された精算可能な現金の金額とを比較して、精算機で現金を払い出して精算できるるか否かを判別する判別手段と、
判別の結果、精算機で払い出せない金額分について換金用レシートを発行する発行手段と、
を有することを特徴とする精算機。
【請求項３】
カードの残高の精算を行う精算機と、精算機が発行したレシートの情報を読み取って支払うべき残高を取得する現金処理装置と、上記精算機及び現金処理装置と通信を介して接続可能に構成された制御装置とを有するシステムであって、
上記精算機は、
精算機により現金の払出し精算を行うか否かの基準となる基準金額の情報を記憶する記憶手段と、
上記カードの残高を取得する取得手段と、
上記取得したカードの残高のうち、上記基準金額に満たない端数金額を抽出すると共に、レシートを発行する際の識別情報を発行するデータ処理手段と、
少なくとも上記発行された識別情報が記録された換金用レシートを発行する発行手段と、
少なくとも上記発行した換金用レシートの端数金額とレシート識別情報を上記制御装置へ通知する通知手段と、を有し、
上記現金処理装置は、
上記精算用レシートに記録された識別情報を読み取る読取手段と、
読み取った識別情報を上記制御装置へ通知して問合せを行う問合せ手段と、
上記制御装置から返信通知された端数金額を受信して出力する出力手段と、を有し、
上記制御装置は、
少なくとも、上記精算機から通知されたレシートの識別情報、端数金額を記憶することができるレシート情報記憶手段と、
上記レシート情報記憶手段を参照して、上記現金処理装置から問合せがされたレシート情報に対応する端数金額を抽出して、上記現金処理装置へ返信通知する通知手段と、を有する、
ことを特徴とする精算処理システム。
【請求項４】
カードの残高の精算を行う精算機と、精算機が発行したレシートの情報を読み取って支払うべき残高を取得する現金処理装置と、上記精算機及び現金処理装置と通信を介して接続可能に構成された制御装置とを有するシステムであって、
上記精算機は、
上記カードの残高を取得する取得手段と、
精算機にストックされている精算用の現金が精算可能な金額かを検知する検知手段と、
上記取得したカード残高と、上記検知された精算可能な現金の金額とを比較して、精算機で現金を払い出して精算できるるか否かを判別する判別手段と、
判別の結果、精算機で払い出せない金額分について換金用レシートを発行する発行手段と、
少なくとも上記発行した換金用レシートの識別情報及び発行金額を上記制御装置へ通知する通知手段と、を有し、
上記現金処理装置は、
上記精算用レシートに記録された識別情報を読み取る読取手段と、
読み取った識別情報を上記制御装置へ通知して問合せを行う問合せ手段と、
上記制御装置から返信通知された発行金額を受信して出力する出力手段と、を有し、
上記制御装置は、
少なくとも、上記精算機から通知されたレシートの識別情報、発行金額を記憶することができるレシート情報記憶手段と、
上記レシート情報記憶手段を参照して、上記現金処理装置から問合せがされたレシートの識別情報に対応する発行金額を抽出して、上記現金処理装置へ返信通知する通知手段と、を有する、
ことを特徴とする精算処理システム。
【発明の詳細な説明】
【技術分野】
【０００１】
本発明は、カードが保持している残高を精算するための精算機であって、特に、残高が少額となったカードの精算処理を行う場合に好適な仕組みに関する。
【背景技術】
【０００２】
現在、パチンコ店等の遊技店において、カードを利用する場合、遊技媒体（玉、メダル）の貸出は１００円を単位としているため、カードに１００円未満の残高が残ることはなかった。
【０００３】
一方、パチンコ用カードで遊技店内の自動販売機などでたばこやジュース等の物品を購入したいという要望や、遊技媒体の貸出時に外税方式で消費税を徴収したいとの要望がある。
【０００４】
しかし、カードで物品を購入したり、遊技媒体貸出時の消費税をカードで支払おうとすると、１００円以下の端数が生じてしまう。
このような端数の精算を精算機で行なおうとすると、精算機に１円硬貨、５円硬貨、１０円硬貨などの硬貨をストックしておき、これにより精算する機構が必要となるため、精算機自体が大型化したりコストアップに繋がってしまうという問題がある。また、複数の精算機を設置する店舗では、精算機毎に１円硬貨や５円硬貨の補充する必要があるため、補充する硬貨の種類が増え、補充する手間と各装置ごとに払い出した硬貨を計算する手間が増えるなどの問題が発生する。
【０００５】
上述の１円硬貨、５円硬貨などの小額硬貨の準備や補充してもらう手間だけを省くために、特許文献１には、所定金額以上の残高のあるカードは、特定金種のみ現金で精算し、現金で返金できない残高はカードに残すようにすることが提案されている。この発明によれば、例えば、１０９５円の残高を有するカードを精算する場合、１０００円の現金と残高９５円のカードが返却されることになる。
【０００６】
【特許文献１】特願２０００−４４８３３
【発明の開示】
【発明が解決しようとする課題】
【０００７】
しかし、従来技術のように現金で返金できない残高はカードに残すようにすると、遊技をやめたい遊技客にとっては、９５円分の現金はカードに残っているため、再度来店し、このカードに追加入金を行い、１００円以上の残高にしないとカード残高を使用することができないことになり、遊技客にとっては大変な手間となるし、カードの有効期限が当日当店限りのとなっているシステムでは利用できないなどの問題があった。
また、顧客にとっては、次回に来店するまでカードを保持しておく必要があるため、持ち帰ったカードを無くしてしまったり、またカードを破損してしまい、結局カードの残高を利用できなくなってしまうなどの問題もあった。
さらに、カードをリサイクルして使用する場合、顧客がカードを持ち帰ってしまうと、発行した全てのカードを回収することができなくなり、リサイクルできないという問題もあった。特に、例えばＩＣカードのように１枚あたりのカード原価が高いものは、これリサイクルせずに紛失してしまうと、システム全体としてのコストが高くなってしまうため、精算機で回収することが望まれていた。
【０００８】
本発明の目的は、カードの残高の端数を精算するにあたって、コスト上昇を抑えつつ、精算機への硬貨の補充などの手間を省いて効率的に精算処理を行うことができる仕組みを提供すること目的とする。
【課題を解決するための手段】
【０００９】
上記目的を達成するため、本発明の第１の観点にかかる精算機は、カードの残高を精算するための精算機であって、精算機により現金の払出し精算を行うか否かの基準となる基準金額の情報を記憶する記憶手段と、上記カードの残高を取得する取得手段と、上記取得したカードの残高のうち、上記基準金額に満たない端数金額を抽出する抽出手段と、上記抽出された端数金額分の換金用レシートを発行する発行手段とを有することを特徴とする。
【００１０】
本発明の第１の観点にかかる精算機は、カードの残高を精算するための精算機であって、上記カードの残高を取得する取得手段と、精算機にストックされている精算用の現金が精算可能な金額かを検知する検知手段と、上記取得したカード残高と、上記検知された精算可能な現金の金額とを比較して、精算機で現金を払い出して精算できるるか否かを判別する判別手段と、判別の結果、精算機で払い出せない金額分について換金用レシートを発行する発行手段とを有することを特徴とする。
【００１１】
本発明の第１の観点にかかる精算システムは、カードの残高の精算を行う精算機と、精算機が発行したレシートの情報を読み取って支払うべき残高を取得する現金処理装置と、上記精算機及び現金処理装置と通信を介して接続可能に構成された制御装置とを有するシステムであって、上記精算機は、精算機により現金の払出し精算を行うか否かの基準となる基準金額の情報を記憶する記憶手段と、上記カードの残高を取得する取得手段と、上記取得したカードの残高のうち、上記基準金額に満たない端数金額を抽出すると共に、レシートを発行する際の識別情報を発行するデータ処理手段と、少なくとも上記発行された識別情報が記録された換金用レシートを発行する発行手段と、少なくとも上記発行した換金用レシートの端数金額とレシート識別情報を上記制御装置へ通知する通知手段と、を有し、上記現金処理装置は、上記精算用レシートに記録された識別情報を読み取る読取手段と、読み取った識別情報を上記制御装置へ通知して問合せを行う問合せ手段と、上記制御装置から返信通知された端数金額を受信して出力する出力手段と、を有し、上記制御装置は、少なくとも、上記精算機から通知されたレシートの識別情報、端数金額を記憶することができるレシート情報記憶手段と、上記レシート情報記憶手段を参照して、上記現金処理装置から問合せがされたレシートの識別番号に対応する端数金額を抽出して、上記現金処理装置へ返信通知する通知手段とを有することを特徴とする。
【００１２】
本発明の第２の観点にかかる精算システムは、カードの残高の精算を行う精算機と、精算機が発行したレシートの情報を読み取って支払うべき残高を取得する現金処理装置と、上記精算機及び現金処理装置と通信を介して接続可能に構成された制御装置とを有するシステムであって、上記精算機は、上記カードの残高を取得する取得手段と、精算機にストックされている精算用の現金が精算可能な金額かを検知する検知手段と、上記取得したカード残高と、上記検知された精算可能な現金の金額とを比較して、精算機で現金を払い出して精算できるるか否かを判別する判別手段と、判別の結果、精算機で払い出せない金額分について換金用レシートを発行する発行手段と、少なくとも上記発行した換金用レシートの識別情報及び発行金額を上記制御装置へ通知する通知手段と、を有し、上記現金処理装置は、上記精算用レシートに記録された識別情報を読み取る読取手段と、読み取った識別情報を上記制御装置へ通知して問合せを行う問合せ手段と、上記制御装置から返信通知された発行金額を受信して出力する出力手段とを有し、上記制御装置は、少なくとも、上記精算機から通知されたレシートの識別情報、発行金額を記憶することができるレシート情報記憶手段と、上記レシート情報記憶手段を参照して、上記現金処理装置から問合せがされたレシートの識別情報に対応する発行金額を抽出して、上記現金処理装置へ返信通知する通知手段と、を有することを特徴とする。
【発明の効果】
【００１３】
本発明によれば、カードの残高に端数が生じた場合であっても、精算機側に小額の硬貨を支払う機構を項ける必要がないことから、コストを抑えることができる。
また、精算機への硬貨の補充などの手間を省くことができることから、効率的に精算処理を行うことができる。
また、精算機でカードを回収できることから、使い終わったカードを紛失せずに回収することができ、リサイクルすることも可能となる。
【発明を実施するための最良の形態】
【００１４】
以下、本発明の一実施の形態を図面を参照して説明する。
図１は、本実施の形態に係る精算機を使用した遊技場システムの一実施形態を示す。
図１に示した遊技場システムは、カード発券機１、カード玉貸機２、カード物販機３、精算機４、ＰＯＳレジスタ５及びこれら各機器とＬＡＮ(Ｌｏｃａｌ  Ａｒｅａ  Ｎｅｔｗｏｒｋ）などを介して通信可能に構成されたカード制御装置６、カード７から構成されている。
【００１５】
カード発券機１は、カード７の発券処理を行う装置である。
このカード発券機１は、現金処理装置、カードリーダライタ、カードスタッカー、これらを制御するＣＰＵ及びメモリなどからなるコンピュータ制御装置から構成されている。
カード発券機１は、これらの装置により、発券前のカードをカードストッカーにストックしておき、顧客からの入金、発券指示に応じて所定金額（例えば、１０００円、３０００円など）のカード７を発券する処理を行う。
また、この発券されたカードのカードＩＤ、入金額、残額などのデータはＬＡＮなどのネットワークを介してカード制御装置６に通知されるようになっている。
【００１６】
カード玉貸機２は、顧客に対して遊技媒体としての玉の貸し出し処理を行う装置である。
このカード玉貸機２は、図示しない遊技台間や、遊技場内の所定の場所に設置されている。
カード玉貸機２は、カードリーダライタ、玉搬出装置、紙幣処理装置、これらを制御するＣＰＵ及びメモリなどからなるコンピュータ制御装置から構成されている。
これらの装置により、カード玉貸機２は、カード７の残額データを取得し、この残額の範囲内で顧客に玉貸し処理を行うように構成されている。
また、本例では、カード玉貸機２により、カード７に対して、残高のチャージ処理が行えるようになっている。
そして、カード玉貸機２により消費又はチャージされた金額等のデータは、ＬＡＮなどのネットワークを介してカード制御装置６に通知され、カード７の残額が管理されるようになっている。
【００１７】
カード物販装置３は、カード７の残額に基づいて物販を行う装置である。
カード物販装置３は、遊技場内の所定の場所に一台又は複数台配置され、顧客に対してタバコや缶ジュースなどの物の販売を行ういわゆる自動販売機を構成する。
このカード物販装置３には、カードリーダライタが取り付けられており、カード７の残高を取得し、その残額の範囲内で物販処理を行うことができるようになっている。
また、カード物販機３により消費された金額等のデータは、ＬＡＮなどのネットワークを介してカード制御装置６に通知され、カードの残額が管理されるようになっている。
【００１８】
カード制御装置６は、遊技場内で使用されているカード７の情報を管理する装置である。
カード制御装置６は、カードデータベース６１及びレシートデータベース６２を有している。
カードデータベース６１は、カード７の残額等をデータベース化したものである。このカードデータベース６１には、少なくともカードＩＤ、入金額、残高が記憶できるようになっている。
また、レシートデータベース６２は、カード精算機４が発行したレシートの情報をデータベース化したものである。このレシートデータベース６２には、少なくともレシートを識別するためのレシート番号、発行したカード精算機４を識別する精算機番号、払戻し金額を表すレシート金額、払戻しが済んだことを表す払戻フラグが記憶できるようになっている。
【００１９】
ＰＯＳレジスタ５は、カード精算機４により発行されたレシートに基づいて精算処理を行う装置である。
ＰＯＳレジスタ５は、遊技場内のカウンタに配置されている。
ＰＯＳレジスタ５には、バーコードリーダが取り付けられており、顧客が持参したレシートのバーコードを読み取り、顧客への払戻し金額を取得する処理を行えるようになっている。払戻し金額の取得に際しては、ＰＯＳレジスタ５が読み取ったバーコードデータをデコード処理して、これをカード制御装置６に送信して、払戻し金額の照会を行うようになっている。
また、ＰＯＳレジスタ５には、精算完了を表すボタン（又はタッチパネルなど）を有しており、精算完了によりこのボタンが押されることで、読み取ったレシート番号、払戻し金額などのデータをカード制御装置６に通知して精算完了を通知するようになっている。
【００２０】
カード７は、遊技媒体貸出しを行うためのカードである。
このカード７には、例えば、少なくとも、カード識別情報としてのカード番号が記憶されており、その他発行店舗情報などを記憶することができる。
また、カードとしては、磁気カード、ＩＣカード、ホログラムカードなど適宜のものを用いることができる。
なお、本例ではカードには残高を記憶ししないいわゆるノーバリューカードについて説明したが、これに限らずカードに残高を記憶しておくようにしてもよい。
【００２１】
カード精算機４は、カード７の残高の精算処理を行う装置であって、本発明にかかる精算機を構成する。
このカード精算機４は、図２に示すようにカード挿入口４１、表示部４２、精算ボタン４３、中止ボタン４４、レシート返却口４５、硬貨返却口４６、紙幣返却口４７を有している。
【００２２】
カード挿入口４１は、精算するカード７を受け付けるための挿入口である。このカード挿入口４１には、図示しないカードリーダライタ（Ｒ／Ｗ）が取り付けられており、これにより挿入されたカード７に対して所定のデータのリードライト処理ができるようになっている。
【００２３】
表示部４２は、カード残額などの所定の情報を表示するものであり、例えば、液晶ディスプレイ装置などにより構成することができる。
精算ボタン４３は、顧客が精算指示を出すためのボタンである。
中止ボタン４４は精算処理を中止するためのボタンである。これら精算ボタン４３、中止ボタン４４からの入力により精算処理が開始、又は中止されるようになっている。なお、これらのボタンに代えてタッチパネルを設けてもよい。
【００２４】
レシート返却口４５は、顧客に対して精算用のレシートを返却する返却口である。このレシート返却口４５は、後述するプリンタ部４１１と連通しており、プリンタ部４１１により発行されたレシートが排出されるようになっている。
また、レシート返却口４５から、日計表などを排出するようにしてもよい。
【００２５】
硬貨返却口４６は、精算された硬貨を払い出す払い出し口である。紙幣返却口４７は、精算された紙幣を払いだす返却口である。いずれの返却口も図示しない現金処理装置に連通している。
【００２６】
精算機４の制御部の機能ブロックを図３に示す。
精算機４の制御部は、ＣＰＵ(Central Processing Unit)４０１、ＲＯＭ(Read Only Memory)４０２、ＲＡＭ(Random Access  Memory)４０３、通信処理部４０４、精算処理部４０５、紙幣出金処理部４０６、硬貨出金処理部４０７、中止／精算ボタン処理部４０８、表示制御部４０９、カード処理部４１０、プリンタ部４１１から構成されている。
【００２７】
ＣＰＵ４０１は、ＲＯＭ４０２等に記憶されているコンピュータプログラムを実行することにより、上述の通信処理、紙幣出金処理、硬貨出金処理、精算処理及び中止処理、表示制御、カードリーダライタ制御処理、プリンタ制御処理などの各処理部の処理を実行する。
【００２８】
ＲＯＭ４０２及びＲＡＭ４０３は、ＣＰＵが実行するコンピュータプログラム、精算機番号、基準金額、日計表データなど所定のデータを一時的又は継続的に記憶する記憶部を構成する。なお、記憶部は、ＲＯＭ、ＲＡＭに限らず、ハードディスクドライブなどの外部記憶装置をさらに用いてもよい。
この基準金額は、精算機４で精算を行う基準となる金額である。この基準金額は、例えば、基準金額が１００円と設定されていれば、精算金額１１９５円のうち、基準金額以上の１１００円については精算機４で精算処理して返金し、基準金額に満たない９５円分についてはレシート発行による精算となる。
この基準金額の設定は、カード制御装置６からの指示により設定してもよいし、精算機４に対してローカルで設定するようにしてもよく任意である。
【００２９】
通信制御部４０４は、カード制御装置６との間でデータ通信処理を行う。この通信制御部４０４により、カード制御装置６から送信されたデータを受信したり、またカード制御装置６に対してデータを送信する処理を行うことができる。
【００３０】
精算処理部４０５は、顧客から精算指示されたカード７の残額を取得して、当該残額のうち基準金額に満たない端数金額があるか否か判別する処理を行う。
また、精算処理部４０５は、精算される残額のうち基準金額以上の金額については、紙幣処理部４０６又は硬貨出金処理部４０７に対して残額に応じた返金を行うよう指示し、基準金額に満たない端数金額については、プリンタ部４１１に対して当該端数金額を記録したレシートを発行するよう指示するようになっている。
また、残額のうち紙幣で支払う金額（例えば、１０００円以上）と、硬貨で支払う金額（１００円以上１０００円未満）とを抽出し、それぞれ紙幣出金処理部４０６、硬貨出金処理部４０７に対し残高に応じた紙幣及び硬貨を排出すよう指示するようになっている。
【００３１】
紙幣出金処理部４０６は、精算金額に応じた紙幣を払い出すよう図示しない現金処理装置を制御する処理を行う。
硬貨出金処理部４０７は、精算金額に応じた硬貨を払い出すよう図示しない現金処理装置を制御する処理を行う。
【００３２】
中止ボタン／精算ボタン処理部４０８は、精算ボタン名４３又は中止ボタン４４からの入力信号を受け付ける処理を行う。
【００３３】
表示制御部４０９は、精算金額やその他のメッセージを表示部４２に表示するための制御を行う。
【００３４】
カード処理部４１０は、図示しないカードリーダライタを制御して、カード７に記録されているカードＩＤなどの所定のデータを読み取ったり、またカード７に対して所定のデータを書き込む処理を行う。
【００３５】
プリンタ部４１１は、図示しないプリンタを制御して精算用のレシートを発行したり、精算機４が当日に処理した内容を表す日計表を印刷する処理を行う。
また、プリンタ部４１１は、レシートを発行する際、精算機番号、レシート番号をバーコード化する処理を行う。
【００３６】
次に、上記精算機４を使用した精算方法の一例を図面を参照して説明する。
図６は、顧客が保持するカード７の残高を精算機４で精算する際の処理を示した図である。
図６において、まず初期状態として、表示制御部４０９が表示部４２に「カードを入れてください」という待ち受け画面を表示した待機状態となっている（Ｓ１１）。
この状態でメッセージに従って、顧客が精算するカード７をカード挿入口４１に挿入すると、カード処理部４１０がリーダライタを制御してカード７のカードＩＤ等を読込むとともに、通信制御部４０４がＬＡＮ等のネットワークを介してカード制御装置６に読み取ったカードＩＤ等のデータを送信してカードの使用問合せを行う（Ｓ１２）。
【００３７】
この使用問合せを受けたカード制御装置６は、カードデータベース６１を参照して、当該カードＩＤに対応付けて記憶されているカード残高を含むカード使用許可を精算機４に通知する（Ｓ１３）。
なお、通知されたカードＩＤが存在しない場合など、不正なカードＩＤ等である場合には、カード制御装置６から精算処理を許可しない旨の通知がされ、これによりカード処理部４１０がカード７を排出させて処理を終了する。
【００３８】
カードの使用許可が通知されると、表示制御部４０９は、「精算できます」というメッセージと通知された精算金額（カード残高）を表示部４２に表示して、精算ボタン１３の押下を待ち合わせる（Ｓ１４）。
これにより、顧客が表示された精算金額を確認し、精算ボタン１３を押下されると、これを中止ボタン／精算ボタン処理部４０８が精算ボタン１３が押下されたことを検知し、これによりカード処理部４１０が、通信処理部４０４を介してカード制御装置６に対して精算問合せを行う（Ｓ１５）。この間、表示制御部４０９は、表示部４２に「精算処理中」のメッセージを表示する（Ｓ１６）。
【００３９】
精算問合せを行うにあたっては、精算処理部４０５が、精算金額が基準金額未満の端数金を含んでいるか否かを判別し、端数金額を含んでいる場合には当該端数金額を抽出すると共に、端数金額精算用のレシートを発行する際のレシート番号を発行して、これをメモリに記憶する。
端数金額を抽出する処理は、例えば、基準金額が１００円と設定されている場合、精算処理部４０５が、精算金額が１１９５円のうちの１００円に満たない９５円を端数金額として抽出する。
また、レシート番号の発行処理は、精算処理部４０５が、当該精算装置番号にシリアル番号としてのレシート番号を組み合わせたものとしてよい。例えば、精算機番号１番の精算機が１枚目のレシートを発券する場合には、１−００１をレシート番号として発行するようにしてもよい。
また、カード制御装置６に対する精算問合せの際に通知するデータとしては、本例では、カード７のカードＩＤ（例えば、Ａ）、精算金額（例えば、１１９５円）、発行するレシート番号（例えば、１−００１）、レシート金額（例えば、９５円）、精算機装置番号（例えば、１）などが含まれる。
【００４０】
精算問合せがされると、カード制御装置６は、カードデータベース６１の当該カードＩＤの残高を「０円」に更新すると共に、レシートデータベース６２に当該レシート番号（「０１−００１」）に対応付けて、精算機番号（「１」）、レシート金額（「９５円」）を記憶すると共に、払戻しフラグを「未」状態とする。そして、カード制御装置６は、この処理が完了することにより精算機４に対して精算許可を通知する（Ｓ１７）。
【００４１】
精算許可が通知されると、精算処理部４０５は、紙幣出金処理部４０６及び硬貨出金処理部４０７に対して、精算金額に応じて紙幣返却口１７及び硬貨返却口１６からそれぞれ残高の払出しを行う（Ｓ１８）。
上記の精算金額１１９５円の例では、１０００円札１枚と、１００円硬貨１枚が精算機４から払い出される。
【００４２】
また、精算処理部４０５は、プリンタ部４１１に対して端数金額のレシート発行を指示して（Ｓ１９）、処理を終了する。
この際発行されるレシートの例を図４に示す。図４に示したように、レシート１００には、発行した日付、時刻、生産機番号をそれぞれエリア１０１に印刷し、「このレシートをカウンタにお持ちください  残高は、カウンタで精算します」というメッセージをエリア１０２に印刷し、レシート番号及び残高をエリア１０３に印刷すると共にバーコード１０４を印刷する。なお、このバーコード１０４は、少なくとも精算機番号と、レシート番号をバーコード化したものであり、これに加えてバーコードデータに残高データを含めてもよい。なお、バーコードはＪＡＮコードなどでもよいし、またＱＲコードなどの二次元バーコードを用いてもよい。
【００４３】
次に、発行された精算用のレシートをカウンタで払戻す場合（手払い）の処理について図７を参照して説明する。
図７において、ＰＯＳレジスタ５が初期状態では精算レシート読み取り可能な状態となっている（Ｓ２１）。
この状態で、顧客が持参した精算レシートのバーコードを、ＰＯＳレジスタ４のバーコードスキャナによりスキャンして、読み取りデコードしたデータをカード制御装置６に送信して、レシート問合せを行う（Ｓ２２）。
この際、送信するデータとしては、少なくともバーコードから読み取ったレシート番号（「１−００１」）及び精算機番号（「１」）が含まれる。
【００４４】
カード制御装置６では、レシートデータベース６２を参照して、通知されたレシート番号と精算機番号とに対応するデータが登録されているか否か判別して、レシートデータベース６２に登録されていればレシート使用許可をＰＯＳレジスタ５に対して通知する（Ｓ２３）。
この際通知するデータとしては、レシート番号とレシートデータベース６２に登録されているレシート金額（「９５円」）が通知される。
【００４５】
レシート使用許可が通知されると、ＰＯＳレジスタ５は、そのディスプレイなどに使用可能なレシート番号と精算金額を表示する（Ｓ２４）。
そして、カウンタの従業員が表示された内容に基づいて支払を行い、ＰＯＳレジスタ５の精算完了ボタンを押すなどすると、ＰＯＳレジスタ５からカード制御装置７に対して支払通知がされる（Ｓ２５）。
この際通知されるデータとしては、少なくともレシート番号とレシートの精算金額が通知される。
【００４６】
この通知に従い、カード制御装置６は、レシートデータベース６２の当該精算機番号及びレシート番号に対応するデータに、払戻しフラグを記憶して払戻し済みに更新して、支払終了指示を通知する（Ｓ２６）。
支払終了指示が通知されると、ＰＯＳレジスタ５は、レシート番号と支払終了メッセージを表示して初期状態に戻る（Ｓ２７）。
【００４７】
また、カード制御装置６は、精算機４に対してレシート手払情報を通知する（Ｓ２８）。このレシート手払情報としては、少なくとも支払を行ったレシート番号、レシート金額のデータが含まれる。
レシート手払情報が通知されると、精算機４が通知されたレシート手払情報をメモリに記憶すると共にカード制御装置６に対してレシート手払い情報受信通知を行って（Ｓ２９）、処理を終了する。
【００４８】
そして、１日の営業終了時など所定のタイミングで、プリンタ部４１１がメモリに記憶しておいた手払情報を１日の日計表としてプリントする。
この日計表には、図５に示すように出力した日付、時刻、精算機番号を表示するエリア２０１と、当該精算機で精算した合計金額、精算金種（紙幣枚数、硬貨枚数）、現金支払金額、レシート精算金額、レシート支済み金額、レシート精算未払い金額を表示するエリア２０２から構成される。これにより、当該精算機４で処理した精算金額、精算に使用した紙幣や硬貨の枚数、発行したレシートの金額、そのうちの精算済みとなった金額が分かるようになる。
【００４９】
このように、上述のシステムによれば、精算機４が、基準金額以下の端数金額の精算については精算用のレシートを発行し、精算機４では払戻しを行わないようにしたことから、精算機４に端数分の硬貨、例えば、１０円硬貨、５円硬貨、１円硬貨などを保持機構が不要となるため、精算機４のコスト上昇を抑えることができるし、また精算機４へのこれら硬貨の補充といった手間を省くことができる。
また、従来のように残高をカードに記録して次回に使えるようにすると、顧客がカードを持ち帰ってしまいカードを回収できなかったが、上述の例によれば端数残高がある場合でも、精算機４によりカードを確実に回収することができる。特に、カード１枚あたりの単価が高いカードの場合には、残高に端数がある場合でも確実にカードを回収することができ、リサイクルして使用することも可能となる。
また、レシートは紙に印刷したものを用いることにより、カード７などをレシート代わりに使うよりコストを安く抑えることができる。
【００５０】
また、精算機４により、日計表にレシート精算支払済み金額と、レシート精算未払い金額とを計算して印刷するようにしたことから、各精算機４で発行したレシートが未払いか否か個々に確認する場合、日計表上この２つの金額が一致している精算機４につついては、発行したレシートについてはすべて精算されていることが一目で確認することができる。これにより、当該精算機４が発行したレシートについては、個々に確認する必要がなくなり、確認作業を著しく軽減することができる。
【００５１】
上述の例では、基準金額以下の端数金額についてのみレシート発行による手払いとする例について説明したが、例えば、精算機４が保持している紙幣又は硬貨が無くなった場合に、レシートによる精算を行うようにしてもよい。
この場合、紙幣出金処理部４０６及び硬貨出金処理部４０７が、それぞれ精算機４内に保持している紙幣及び硬貨の量を検知しておき、精算機４が払出しできるだけの現金を保持しているかチェックできるようにする。
この際、紙幣又は硬貨の量を検知するには、センサ（数量検知センサ又は重量検センサなど）を現金のスタッカに取り付け、このセンサにより所定量より少なくなったことを検知できるようになっている。
【００５２】
この場合の精算装置４の精算処理方法を図８に示す。
なお、本例では、精算機４が１００円硬貨までは払出しを行い、１００円硬貨が無くなった場合にのみレシートを発行する例について説明する。
図８において、まず通信制御部４０４がカード制御装置６からカード残額データを取得する（Ｓ１０１）。
カード残額データを取得すると、精算処理部４０５残額が基準金額以上の金額があるか否か判別する（Ｓ１０２）。これにより、例えば、基準金額が１００円であれば、残額が１００円以上か否か判別される。
【００５３】
判別の結果、カード残高が基準金額以上である場合には、硬貨出金処理部４０７が貨幣を払いだせる状態か否か判別する（Ｓ１０３）。
判別の結果、ストックがあり払いだせる状態である場合には、精算処理部４０５は、硬貨出金処理部４０７に対してカード残高に応じた硬貨の払出しを指示する（Ｓ１０４）。
Ｓ１０４の処理の終了後、又はＳ１０２の処理でカード残高が基準金額以下であると判別された場合には、カード残高に基準金額未満の端数があるか否か判別する（Ｓ１０５）。
判別の結果、端数がない場合には処理を終了する。
また、判別の結果端数金額ある場合には、精算処理部４０５は、プリンタ部４１１を制御して端数金額のレシート発行を指示して（Ｓ１０６）処理を終了する。
【００５４】
また、上述のＳ１０３の処理で１００円硬貨を払い出せない、即ち精算機４にストックされている硬貨の量が一定量以下となったことが検知された場合には、精算機４で払い出せなかった金額分のレシートを発行して（Ｓ１０７）、処理を終了する。
これにより精算金額１１９５円で１００円硬貨が払い出せなかった場合には、１９５円のレシートが発行されることとなる。
【００５５】
このように、従来は精算機４でストックしている硬貨が無くなった場合には、紙幣は支払えるにもかかわらず精算機４自体がストップしてしまっていたが、上述の図８に示した例によれば、支払機４により払出しができる分（紙幣）については払出し、払出しができない分はレシート発行により精算が可能となる。
これにより、精算機４に払い出し用の硬貨が補充されるまで、精算機４がストップしてしまうこともなくなるし、従業員も精算機４に直ちに現金を補充しなくともとりあえず精算処理を行うことができ、全体として効率的に業務を行うことができる。
また、カウンタでは、レシートの残高を見ることにより、どの精算機４の紙幣、硬貨ののストックが無くなったかを把握することができる。即ち、基準金額を１００円と設定しておいた場合に、「１９５円」の精算用のレシートを適正に発行した精算機４がある場合には、その精算機４は１００円硬貨のストックが不足していることが分かる。これにより、従業員は、時間が空いた適切な時に当該精算機４に１００円硬貨を補充すればよいこととなり、手払いを行うカウンタの従業員が現金のストックがなくなった精算機４を把握して、適宜補充することができる。
【００５６】
また、レシート発行による精算については、精算機４側で１００円硬貨が不足したときだけレシート発行による精算を可能としたことから、不正に高額のレシートを発行させたり、またレシートの金額が改竄されたことにより遊技場等が多額の損害を被ることを防止できる。
【００５７】
上述の各例は、本発明の一例を示したものであり、本発明の技術的範囲を逸脱しない範囲で適宜変更することができる。
【図面の簡単な説明】
【００５８】
【図１】本発明にかかる精算機を適用したシステムの一実施形態を示したシステム概要図。
【図２】上記実施形態にかかる精算装置の外観図。
【図３】上記実施形態にかかる精算装置の機能ブロック図。
【図４】精算機が発行するレシートの一例を示した図。
【図５】精算機が発行する日計表の一例を示した図。
【図６】精算機がレシートを発行する場合の処理を示し処理フロー。
【図７】ＰＯＳレジスタによりレシートに基づいて精算処理を行う場合の処理を示し処理フロー。
【図８】別な実施形態にかかる精算機の処理フロー。
【符号の説明】
【００５９】
１      カード発券機
２      カード玉貸機
３      カード物販機
４      カード精算機
５      ＰＯＳレジスタ
６      カード制御装置
７      カード
４０１  ＣＰＵ
４０２  ＲＯＭ
４０３  ＲＡＭ
４０４  通信処理部
４０５  精算処理部
４０６  紙幣出金処理部
４０７  硬貨出金処理部
４０８  中止ボタン／精算ボタン処理部
４０９  表示制御部
４１０  カード処理部
４１１  プリンタ部
【図１】
2006004185.tif 000003
【図２】
2006004185.tif 000004
【図３】
2006004185.tif 000005
【図４】
2006004185.tif 000006
【図５】
2006004185.tif 000007
【図６】
2006004185.tif 000008
【図７】
2006004185.tif 000009
【図８】
2006004185.tif 000010